(57)【要約】【課題】適切な寿命管理が可能な照明装置を提供する。【課題を解決するための手段】  ＬＥＤ発光部の寿命を判定するＬＥＤ寿命判定部または電源部寿命判定部の寿命判定に基づいてＬＥＤ発光部の発光を制御しＬＥＤ発光部の寿命を報知する。報知は、ＬＥＤ発光部の消灯、点滅、脈動点灯、減光、部分点灯などによる。報知は、寿命判定時点で即行うか、または、次に点灯操作をしたときに行う。ＬＥＤ寿命判定部による寿命判定の場合、報知のためのＬＥＤ状態をキャンセルして通常の点灯状態に戻すことを可能にするが、電源部寿命判定による寿命判定の場合、危険防止のためキャンセル不能とする。キャンセルには回数制限や時間制限をつける。【選択図】図１
2011249120.tif 000002
【特許請求の範囲】
【請求項１】
ＬＥＤ発光部と、前記ＬＥＤ発光部に電力を供給する電源部と、前記ＬＥＤ発光部の寿命を判定するＬＥＤ寿命判定部と、前記ＬＥＤ寿命判定部の判定に基づいて前記ＬＥＤ発光部の発光を制御し前記ＬＥＤ発光部の寿命を報知する報知制御部とを有することを特徴とする照明装置。
【請求項２】
前記電源部の寿命を判定する電源部寿命判定部を有し、前記報知制御部は前記前記電源寿命判定部の判定に基づいて前記ＬＥＤ発光部の発光を制御し前記電源部の寿命を報知することを特徴とする請求項１記載の照明装置。
【請求項３】
前記報知制御部は、ＬＥＤ寿命判定部の判定に基づく寿命報知と前記電源部寿命判定部の判定に基づく寿命報知に差を設けることを特徴とするとする請求項２記載の照明装置。
【請求項４】
ＬＥＤ発光部と、前記ＬＥＤ発光部に電力を供給する電源部と、前記電源部の寿命を判定する電源部寿命判定部と、前記電源寿命判定部の判定に基づいて前記ＬＥＤ発光部の発光を制御し前記電源部の寿命を報知する報知制御部とを有することを特徴とする照明装置。
【請求項５】
前記報知制御部は、前記ＬＥＤ発光部を点灯させないことによって寿命の報知を行うことを特徴とする請求項1から４のいずれかに記載の照明装置。
【請求項６】
前記報知制御部は、前記ＬＥＤ発光部を点滅させることによって寿命の報知を行うことを特徴とする請求項1から４のいずれかに記載の照明装置。
【請求項７】
前記報知制御部は、前記ＬＥＤ発光部を脈動点灯させることによって寿命の報知を行うことを特徴とする請求項1から４のいずれかに記載の照明装置。
【請求項８】
前記報知制御部は、前記ＬＥＤ発光部を減光させることによって寿命の報知を行うことを特徴とする請求項1から４のいずれかに記載の照明装置。
【請求項９】
前記報知制御部は、前記ＬＥＤ発光部を部分的に点灯させることによって寿命の報知を行うことを特徴とする請求項1から４のいずれかに記載の照明装置。
【請求項１０】
前記報知制御部は、前記ＬＥＤ発光部の点灯指示が行われたときに寿命の報知を行うことを特徴とする請求項１から９のいずれかに記載の照明装置。
【請求項１１】
前記報知制御部は、寿命判定が行われた時点で寿命の報知を行うことを特徴とする請求項１から１０のいずれかに記載の照明装置。
【請求項１２】
前記報知制御部による前記ＬＥＤ発光部の制御をキャンセルし通常のＬＥＤ発光部発光状態に復帰させる復帰制御部を有することを特徴とする請求項１から１１のいずれかに記載の照明装置。
【請求項１３】
ＬＥＤ発光部と、前記ＬＥＤ発光部に電力を供給する電源部と、複数の照明機能の寿命をそれぞれ判定する複数の寿命判定部と、前記複数の寿命判定部のいずれの判定結果によるかに応じて異なる態様にて前記ＬＥＤ発光部の発光を制御し照明機能の寿命を報知する報知制御部とを有することを特徴とする照明装置。
【請求項１４】
ＬＥＤ発光部と、前記ＬＥＤ発光部に電力を供給する電源部と、照明機能の寿命を判定する寿命判定部と、寿命判定部の判定を記憶する記憶部と、前記ＬＥＤ発光部の点灯を指示する指示部と、前記指示部によって前記ＬＥＤ発光部の点灯指示が行われたとき前記記憶部の記憶に基づいて前記ＬＥＤ発光部の発光を制御し前記ＬＥＤ発光部の寿命を報知する報知制御部とを有することを特徴とする照明装置。
【請求項１５】
ＬＥＤ発光部と、前記ＬＥＤ発光部に電力を供給する電源部と、照明機能の寿命を判定する寿命判定部と、前記寿命判定部の判定に基づいて前記ＬＥＤ発光部の発光を制御し前記ＬＥＤ発光部の寿命を報知する報知制御部と、前記報知制御部による前記ＬＥＤ発光部の制御をキャンセルし通常のＬＥＤ発光部発光状態に復帰させる復帰制御部とを有することを特徴とする照明装置。
【請求項１６】
前記復帰制御部には前記ＬＥＤ発光部の制御をキャンセルする回数に制限が設けられていることを特徴とする請求項１５記載の照明装置。
【請求項１７】
前記復帰制御部には前記ＬＥＤ発光部の制御をキャンセルできる時間に制限が設けられていることを特徴とする請求項１５または１６記載の照明装置。
【請求項１８】
前記寿命判定部は複数の照明機能の寿命をそれぞれ判定する複数の寿命判定部を有し、前記復帰制御部には、前記複数の寿命判定部のいずれの判定結果によるかに応じて前記ＬＥＤ発光部の制御のキャンセルに制限が設けられていることを特徴とする請求項１５から１７のいずれかに記載の照明装置。
【請求項１９】
前記複数の寿命判定部は、前記ＬＥＤ発光部の寿命を判定するＬＥＤ寿命判定部と前記電源部の寿命を判定する電源部寿命判定部を含むことを特徴とする請求項１８記載の照明装置。
【請求項２０】
前記復帰制御部は、前記ＬＥＤ発光部の寿命判定結果に基づく前記ＬＥＤ発光部の制御についてはキャンセルを許可するとともに前記電源部寿命判定部の寿命判定結果に基づく前記ＬＥＤ発光部の制御についてはキャンセルを許可しないことを特徴とする請求項１９記載の照明装置。
【発明の詳細な説明】
【技術分野】
【０００１】
本発明は、照明装置に関する。
【背景技術】
【０００２】
従来種々の目的のために種々の照明装置が提案されている。照明装置に用いられる光源としては蛍光灯が一般的であるが、近年ＬＥＤの利用が進み、白色ＬＥＤを蛍光灯と互換可能に構成して一般の天井照明に用いることが提案されている。(特許文献１)  一方、照明装置の制御についても種々の提案がなされている。例えば、多数の蛍光灯にそれぞれ貼り付けられたＩＣタグシールと建物内全てを電磁波通信でカバーする単一のＩＣタグリーダライタとの通信により、各蛍光灯が使用開始から一定の寿命時間が経過するとその交換を自動的に通報することが提案されている。（特許文献２）さらに、ＬＥＤを用いた照明に関しても、ＬＥＤチップに流れる電流値と光検出素子で検出されたＬＥＤチップの光出力との関係、およびそれらの関係に経時変化レベルを対応付けた特性データに基づいてＬＥＤチップの経時変化レベルを求め。これを照明器具からコントローラに通知して表示することが提案されている。（特許文献３）
【先行技術文献】
【特許文献】
【０００３】
【特許文献１】特開２００４−３３５４２６号公報
【特許文献２】特開２００６−８５３４４号公報
【特許文献３】特開２０１０−３４２４０号公報
【発明の概要】
【発明が解決しようとする課題】
【０００４】
しかしながら、照明装置の寿命管理に関しては、さらに検討すべき課題が多い。
【０００５】
本発明の課題は、上記に鑑み、適切な寿命管理が可能な照明装置を提供することにある。
【課題を解決するための手段】
【０００６】
上記課題を達成するため、本発明は、ＬＥＤ発光部と、ＬＥＤ発光部に電力を供給する電源部と、ＬＥＤ発光部の寿命を判定するＬＥＤ寿命判定部と、ＬＥＤ寿命判定部の判定に基づいてＬＥＤ発光部の発光を制御しＬＥＤ発光部の寿命を報知する報知制御部とを有する照明装置を提供する。これによって、寿命判定の対象となっているＬＥＤ発光部自体により直感的に寿命の報知を行うことができる。
【０００７】
本発明の他の特徴によれば、ＬＥＤ発光部と、ＬＥＤ発光部に電力を供給する電源部と、電源部の寿命を判定する電源部寿命判定部と、電源寿命判定部の判定に基づいてＬＥＤ発光部の発光を制御し電源部の寿命を報知する報知制御部とを有する照明装置が提供される。これによって、寿命が尽きた後に継続使用すると危険のおそれもある電源装置の寿命の報知をＬＥＤ発光部自体により直感的に行うことができる。
【０００８】
本発明の具体的な特徴によれば、記報知制御部による寿命報知がＬＥＤ寿命判定部の判定および電源部寿命判定部の判定に基づいて行われる場合、両者の判定に基づく寿命報知に差が設けられる。これによって、継続使用しても緊急の危険のないＬＥＤ照明装置と危険の可能性のある電源装置の寿命についてそれぞれ適切な報知を行うことが可能となる。
【０００９】
本発明の他の具体的な特徴によれば、報知制御部は、寿命の報知にあたり、ＬＥＤ発光部を点灯させないか、ＬＥＤ発光部を点滅させるか、ＬＥＤ発光部を脈動点灯させるか、ＬＥＤ発光部を減光させるか、ＬＥＤ発光部を部分的に点灯させるかによって寿命の報知を行う。これによって、照明装置が通常点灯時とは異なることを適切に報知することができる。なお、上記の報知態様に関しては、予め選択が可能なように構成してもよい。また、他の具体的な特徴によれば、報知制御部はＬＥＤ発光部の点灯指示が行われたときに寿命の報知を行うか、または寿命判定が行われた時点で寿命の報知を行う。これによって、ユーザが気付きやすい時点で報知を行うことが可能となる。
【００１０】
本発明の他の特徴によれば、ＬＥＤ発光部と、ＬＥＤ発光部に電力を供給する電源部と、複数の照明機能の寿命をそれぞれ判定する複数の寿命判定部と、複数の寿命判定部のいずれの判定結果によるかに応じて異なる態様にてＬＥＤ発光部の発光を制御し照明機能の寿命を報知する報知制御部とを有する照明装置が提供される。これによって、寿命の尽きた照明装置の複数の部分の特性に応じた寿命放置が可能となる。複数部分の例は、例えばＬＥＤ発光部と電源部である。
【００１１】
本発明の他の特徴によれば、ＬＥＤ発光部と、ＬＥＤ発光部に電力を供給する電源部と、照明機能の寿命を判定する寿命判定部と、寿命判定部の判定を記憶する記憶部と、ＬＥＤ発光部の点灯を指示する指示部と、指示部によって前記ＬＥＤ発光部の点灯指示が行われたとき記憶部の記憶に基づいてＬＥＤ発光部の発光を制御しＬＥＤ発光部の寿命を報知する報知制御部とを有する照明装置が提供される。これによって、日常生活において通常点灯中のＬＥＤ発光部が寿命判定結果に基づいて唐突に寿命放置のための点灯状態に入るのを避け、次に点灯指示がなされた時点で寿命報知をすることが可能となる。
【００１２】
本発明の他の特徴によれば、ＬＥＤ発光部と、ＬＥＤ発光部に電力を供給する電源部と、照明機能の寿命を判定する寿命判定部と、寿命判定部の判定に基づいてＬＥＤ発光部の発光を制御しＬＥＤ発光部の寿命を報知する報知制御部と、報知制御部によるＬＥＤ発光部の制御をキャンセルし通常のＬＥＤ発光部発光状態に復帰させる復帰制御部とを有する照明装置が提供される。これによって寿命報知を認識したユーザが、照明装置の交換までの間、当座の通常照明を継続することを可能にする。
【００１３】
上記本発明の具体的な特徴によれば、復帰制御部にはＬＥＤ発光部の制御をキャンセルする回数に制限が設けられる。これによって、本来は当座の便のためのキャンセル操作が延々と繰り返されて寿命報知の意味がなくなることを防止する。また、他の具体的な特徴によれば、復帰制御部にはＬＥＤ発光部の制御をキャンセルできる時間に制限が設けられる。これによって、寿命報知後書体時間内に限り、容易に通常点灯状態に復帰することを可能にし、当座の便を図る。
【００１４】
また、他の具体的な特徴によれば、寿命判定部は複数の照明機能の寿命をそれぞれ判定する複数の寿命判定部を有し、復帰制御部には、複数の寿命判定部のいずれの判定結果によるかに応じて前記ＬＥＤ発光部の制御のキャンセルに制限が設けられる。寿命判定の深刻度に応じ、キャンセルの許容度に差を設けることができる。さらに具体的な特徴によれば、複数の寿命判定部は、ＬＥＤ発光部の寿命を判定するＬＥＤ寿命判定部と前記電源部の寿命を判定する電源部寿命判定部を含む。そしてさらに具体的な特徴によれば  復帰制御部は、ＬＥＤ発光部の寿命判定結果に基づくＬＥＤ発光部の制御については当面の危険はないのでキャンセルを許可するとともに電源部寿命判定部の寿命判定結果に基づくＬＥＤ発光部の制御についてはキャンセルを許可しない。
【発明の効果】
【００１５】
上記のように、本発明によれば、適切な寿命管理の可能な照明装置を提供することができる。
【図面の簡単な説明】
【００１６】
【図１】本発明の実施の形態に係るＬＥＤ照明システムの実施例１を示すブロック図である。（実施例１）
【図２】図１のＬＥＤ照明装置の詳細構成を示すブロック図である。
【図３】図１および図２に示した照明制御部の基本機能を示すフローチャートである。
【図４】図３のステップＳ４の詳細を示すフローチャートである。
【図５】図３のステップＳ２６の詳細を示すフローチャートである。
【図６】図３のステップＳ３２の詳細を示すフローチャートである。
【図７】図１に示したリモコン制御部の機能を示すフローチャートである。
【図８】本発明の実施の形態に係るＬＥＤ照明システムの実施例２におけるＬＥＤ照明装置の詳細構成を示すブロック図である。（実施例２）
【図９】図１および図８に示した実施例２における照明制御部の基本機能を示すフローチャートである。
【図１０】図９に示した実施例２におけるステップＳ１４４の詳細を示すフローチャートである。である。
【図１１】本発明の実施の形態に係るＬＥＤ照明システムの実施例３を示すブロック図である。（実施例３）
【図１２】図１１に示した実施例２における照明制御部の基本機能を示すフローチャートである。
【発明を実施するための形態】
【実施例１】
【００１７】
図１は、本発明の実施の形態に係るＬＥＤ照明システムの実施例１を示すブロック図である。実施例１の照明システムは、天井２に設けられた照明器具４、６、火災報知機８およびこれらを共通に制御するためのリモートコントローラ（以下、適宜「リモコン」と略称）１０等を含む。事業用のオフィスなどにおける実施の場合、天井２には多数の照明器具が配置されるが、図１では、簡単のため照明器具を２つだけ代表として図示している。照明器具４、６および火災報知機８は電力線１２から給電を受ける。一方、リモートコントローラ１０は電池駆動式である。また、照明器具４、６および火災報知機８は、後述するように赤外線無線通信または近距離電波無線通信によりリモートコントローラ１０と交信する。なお、リモートコントローラ１０を室壁等に固定して電力線駆動式とした場合は、電力線１２を介した電力線通信（ＰＬＣ）により照明器具４、６および火災報知機８とリモートコントローラ１０の交信を行うよう構成することも可能である。
【００１８】
ＬＥＤ照明装置４は、寿命が尽きた時にそれぞれ天井２から取り外し交換可能なよう構成されており、照明光源として白色ＬＥＤ群１４を有する。白色ＬＥＤ群１４は、電力線１２に接続される電源部１６から給電されるとともにＬＥＤ制御部１８により調光制御されて発光する。なお、電源部１６は、白色ＬＥＤ群１４だけでなく、ＬＥＤ照明装置４の各部に所定電圧の電源を供給する。照明制御部２０は基準クロック２２および所定のプログラムによって動作するマイクロコンピュータを有し、赤外無線通信部２４が受信するリモコン信号に基づいてＬＥＤ制御部１８による白色ＬＥＤ群のオンオフおよび調光を指示するとともにＬＥＤ照明装置４の寿命管理を行う。また、照明制御部２０は、その内部にマイクロコンピュータのプログラムを記憶するとともに処理に必要なデータを記憶する記憶部を有する。なお無線通信部２４は近距離電波通信部として構成してもよい。
【００１９】
ＬＥＤ寿命判定部２６は、照明制御部２０からＬＥＤ制御部１８へのオンオフ並びに調光の指示信号、白色ＬＥＤ１４の温度および基準クロック２２に基づいて、白色ＬＥＤ群の寿命を判定し、その結果を照明制御部２０に伝達する。また、電解コンデンサ寿命判定部２８は、電源部１６における整流平滑能力および基準クロック２２に基づいての電源部１６に含まれる電解コンデンサの寿命を判定し、その結果を照明制御部２０に伝達する。そして照明制御部２０は寿命が尽きたと判断した場合、ＬＥＤ制御部１８に白色ＬＥＤ群を消灯させる指示を出す。なお、ＬＥＤ照明装置６の構成はＬＥＤ照明装置４と共通なので図中の番号付与および説明は省略する。
【００２０】
上記のような寿命判定および管理の詳細構成については後述するが、ここでその意義について説明する。まず、通常の蛍光灯管に比べて格段に長い寿命を持つＬＥＤ照明装置は長期間交換不要であるという長所を持つ反面、前回の交換に関する記憶または記録が消失する可能性も高く、次回交換時期の管理をどうするかが問題となる。さらに、通常の蛍光灯管では、その寿命末期において点灯状態に明らかな異常が表れるかまたは点灯不能状態となるので交換の必要性は明確にわかる。これに対し、ＬＥＤ照明装置では長期間の使用によって徐々に明るさが低下するだけで、明らかな異常状態や点灯不能状態が生じない。従って、そのような照明下で作業や生活をしている人間にとっては明るさの低下がわからず、気づかないうちに照度不足の不健康な環境下で作業や生活をしているという結果に陥る可能性もある。上記の寿命判定と管理はこのような事態への対策の意義を持つ。
【００２１】
火災報知機８は、電力線１２に接続されて火災報知機８の各部に所定電圧の電源を供給する電源部３０を有する。なお、電源部３０は電池駆動式のものとして構成してもよい。報知器制御部３２は、温度・煙・炎センサ３４による検知に基づいて異常時に音警報部３６および光警報部３８から警報を発する。また、報知器制御部３２に接続された無線通信部は異常状態を外部に発信するとともに、火災警報器８のテストを行う際の外部との交信を行う。報知器制御部３２には、火災報知機８本来の機能のための電源部３０から共通に給電される受光部３５が設けられており、室内の照度を検知する。受光センサ３５による室内の照度情報は、後述のようにＬＥＤ照明装置４、５の自動調光のための情報となる。また、電源部３０により給電される受光部３５を調光のために日常的に使用することにより、異常状態が発生しない限り長期間動作することがない火災報知機８の電源部３０が日常的にチェックされ、いざというときに動作しないような事態を防止する。
【００２２】
リモートコントローラ１０は、手動操作を行うための操作部４２を有し、リモコン制御部４４は操作部４２の操作に基づいて赤外無線通信部４６を制御し、赤外光４８および／または赤外光５０をＬＥＤ照明装置４および／またはＬＥＤ照明装置６の無線通信部にそれぞれ送信させる。なお、無線通信部２４および無線通信部４６が近距離電波通信部として構成される場合、赤外光４８および赤外光５０は電波と読替えて理解するものとする。これらの通信部は、リモートコントローラ１０からＬＥＤ照明装置４、６への一方向の指示だけでなく、双方向通信が可能であり、ＬＥＤ照明装置４、６の寿命に関する情報をリモートコントローラ１０で受信し、これを表示部５２で表示することも可能である。また、上記の双方向通信機能および表示部５２の表示機能は、寿命判定部のテストにおいても活用される。さらに、表示部５２は、通常の点灯や調光制御の際において、操作部４２と連携し他グラフィカルユーザインタフェース(ＧＵＩ)にも活用される。さらに、リモートコントローラ１０は、火災報知機８の受光部３５からの室内の照度情報を自動調光情報としてＬＥＤ照明装置４、５に中継する。
【００２３】
リモートコントローラ１０はさらに、火災報知機８のテストのためにも兼用される。テストの際には、操作部４２および表示部５２によるＧＵＩ操作に基づき、リモコン制御部４４が無線通信部４６に赤外線５４によるテスト指示信号の送信を指示する。送信されたテスト指示信号は、火災報知機８の無線通信部４０によって受信される。これに基づいて、報知器制御部３２は所定のテストを実行し、無線通信部４０に赤外線５４によるテスト結果信号の送信を指示する。赤外線５４によるテスト結果信号はリモートコントローラ１０によって受信され、リモコン制御部４４の制御によって表示部５２に表示される。また、このような火災報知機８のテストは、ＬＥＤ照明装置４、６のテストと連携して行われる。その詳細については後述する。
【００２４】
図２は、図１のＬＥＤ照明装置の詳細構成を示すブロック図である。図１と同じ部分には同じ番号を付し、必要のない限り説明を省略する。電源部１６は、電力線１２の交流をトランス５６で降圧するとともに全波整流器５８で整流し、これを電解コンデンサ６０で平滑して直流電源回路６２に供給する。直流電源回路６２と接地の間には白色ＬＥＤ群１４、スイッチ素子６４および定電流源が直列で接続されている。そして、スイッチ素子６４のオンオフをＰＷＭ制御部６８で制御することによって白色ＬＥＤ群の点灯・消灯および点灯時の調光が行われる。ＰＷＭ制御部６８によるＰＷＭ制御のデューティーサイクルは、照明制御部２０からの指示信号に基づきデューティー制御部７０から与えられる。なお、デューティーサイクルゼロは消灯を意味する。
【００２５】
ＬＥＤ寿命判定部２６の不揮発カウンタ７２は、照明制御部２０から点灯信号（デューティーゼロ以外の信号）が出力されているとき開かれるゲート７４を介し、可変分周部７６で分周した基準クロック２２からのクロックパルスをカウントする。これによって不揮発カウンタ７２は、白色ＬＥＤの点灯時間を累積カウントして記憶する。不揮発カウンタ７２は、白色ＬＥＤ群が寿命（例えば、同一入力で発光するときの明るさが新品時点の７０％に低下）に達したと看做される時間に該当するパルス数をカウントしたときオーバーフローパルスを照明制御部２０に出力することでＬＥＤ寿命の判定とする。
【００２６】
可変分周部７６には、照明制御部２０からの点灯信号が入力され、点灯信号のデューティーサイクルが大きいほど出力パルスの周波数を高くして不揮発カウンタ７２のカウントが早く進むようにする。これによって白色ＬＥＤ群に流れる電流エネルギーが大きいほど寿命が早く到来する状況に対応する。また、白色ＬＥＤ群１４の放熱板７８にはサーミスタ８０が設けられ、白色ＬＥＤ群１４の発熱状態を検知する。可変分周部７６には、サーミスタ８０の検知温度が入力され、温度が高いほど出力パルスの周波数を高くして不揮発カウンタ７２のカウントが早く進むようにする。これによって白色ＬＥＤ群１４の発熱温度が高いほど寿命が早く到来する状況に対応する。
【００２７】
電解コンデンサ寿命判定部２８の比較器８２は、検知抵抗８４の分圧を基準電圧と比較し、電解コンデンサ６０の平滑能力が低下して脈流状態となった分圧の低電圧部分が基準電圧を下回るようになったとき脈流に同期した出力を発生する。カウンタ８４はこれをカウントし、そのオーバーフローパルスを照明制御部２０に出力することで電界コンデンサ寿命の判定とする。なお、カウンタ８４のリセット端子には分周部８６で基準クロック２２からのクロックパルスが入力される。これによってカウンタ８４は定期的にリセット（例えばカウンタ８４のオーバフローが１２８パルスカウントで発生するよう構成した場合、１秒に一回リセット）され、比較器からの脈流に基づくパルスが１秒弱程度続かない限りカウンタ８４のオーバフローが生じないようにする。これによって、電解コンデンサ６０の平滑能力が確実に低下している状態をもって寿命とするとともに、検知抵抗８４の分圧が一時的に低下した場合などのノイズパルスを累積カウントして寿命到来と判断するなどの誤動作を防止する。
【００２８】
図３は、図１および図２に示した照明制御部２０の基本機能を示すフローチャートである。フローは、リモートコントローラ１０からの点灯信号、または寿命判定機能テスト信号などの諸操作信号が受信されることによりスタートする。フローがスタートするとステップＳ２で点灯信号を受信したのかどうかがチェックされ、点灯信号受信であればステップＳ４に進んで寿命判定チェック処理を行い、ステップＳ６に進む。ステップＳ４の寿命判定チェック処理は、電界コンデンサの寿命が尽きた旨、またはＬＥＤの寿命が尽きた旨の判定がなされているかどうかのチェック処理であるがその詳細は後述する。
【００２９】
ステップＳ６では、ステップＳ４の寿命判定チェックの結果、電解コンデンサ寿命が尽きた旨の判定が行われていたかどうかをチェックし、該当する判定がなされていなければステップＳ８に進んで、ステップＳ４の寿命判定チェックの結果、電解コンデンサ寿命が尽きた旨の判定が行われていたかどうかをチェックする。そしてＬＥＤの寿命が尽きている旨の判定がなされている場合はステップＳ１０に進み、ステップＳ２で受信が確認された点灯信号が、ＬＥＤの寿命が尽きてＬＥＤ照明装置が消灯されてから所定時間（例えば３０秒）内の点灯信号かどうかチェックする。これは、後述する即時消灯モードにおいて点灯中のＬＥＤ照明装置が寿命の尽きたことにより突然消灯した場合、所定時間内であれば点灯操作を行うことにより再点灯させるためのものである。
【００３０】
ステップＳ１０に該当する操作でない場合、ステップＳ１２に進み、ステップＳ２で受信が確認された点灯信号が、前回操作後所定時間（例えば１秒）内に受信されたものかどうかチェックする。これは、ＬＥＤの寿命が尽きている旨の判定がなされ、通常の点灯操作ではＬＥＤ照明装置が点灯しない場合であっても、１秒以内の間隔で連続操作するという特殊な操作を行うことによって点灯を可能とするためのものである。ステップＳ１２に該当する操作であればステップＳ１４に進み、ＬＥＤの寿命が尽きている旨の判定がなされた後、所定回（例えば５回）以内の操作かどうかチェックする。これは、使用の便のため、ＬＥＤの寿命が尽きても連続操作という特殊な操作による点灯を許すものの、その回数に一定の制限を設け、ＬＥＤの寿命が尽きたにもかかわらず延々と点灯操作が続けられるのを防止するためのものである。
【００３１】
ステップＳ１４で操作が所定回以内のときはステップＳ１６に進み、操作信号の受信回数を一回分インクリメントするとともにステップＳ１８に進んでＬＥＤの点灯を実行する。一方、ステップＳ８でＬＥＤの寿命が尽きた旨の判定がなされていなかったときは直接ステップＳ１８に進み、直ちにＬＥＤの点灯を実行する。また、ステップＳ１０で、ＬＥＤが寿命により消灯されてから所定時間以内の点灯信号であることが確認された場合も直接ステップＳ１８に進んでＬＥＤの点灯を実行する。
【００３２】
ステップＳ１８でＬＥＤの点灯が実行されるとステップＳ２０に進み、点灯中において電解コンデンサまたはＬＥＤの寿命が尽きた旨の判定信号が発生したかどうかチェックする。そして寿命が尽きた旨の判定信号が発生するとステップＳ２２でこの判定結果を記憶するとともに、リモートコントローラ１０に送信し、ステップＳ２４に移行する。ステップＳ２４では、寿命が尽きた旨の判定信号が発生すると即時にＬＥＤの消灯を行うモードに設定されているかどうかのチェックを行う。即時消灯モードでなければこの時点での消灯を実行せず、ステップＳ２６に進む。なお、寿命が尽きた旨の判定はステップＳ２２で記憶されているので、次回点灯操作を行ったときにこれがステップＳ４のチェックにより確認され、ステップＳ１０またはステップＳ１２およびステップＳ１４に該当するとき以外は点灯ができなくなる。一方、ステップＳ２０で寿命が尽きた旨の信号の発生がないときは直接ステップＳ２６に移行する。
【００３３】
ステップＳ２６では自動または手動による調光に対応するための調光処理を行う。その詳細は後述する。そして調光処理が完了するとステップＳ２８に進み、リモートコントローラ１０から消灯信号を受信したかどうかチェックする。消灯信号の受信がなければステップＳ２０に戻り、以下、消灯信号が受信されず、かつ即時消灯モードにおいて寿命が尽きた旨の信号が発生されない限りステップＳ２０から２８を繰り返し、調光制御または寿命状態の変化に対応する。これに対し、ステップＳ２８で消灯信号の受信が確認されたときはステップＳ３０に移行する。なお、ステップＳ２で点灯信号の受信が確認されないときもステップＳ３０に移行する。
【００３４】
ステップＳ３０では、寿命判定テスト信号や後述の擬似寿命尽リセット信号などの諸操作による信号を受信したかどうかチェックする。そして、これらの信号の受信が確認されればステップＳ３２の諸操作処理を行ってフローを終了する。一方、ステップＳ３０において諸操作信号の受信が確認されない場合は直ちにフローを終了する。
【００３５】
ここで、ステップＳ６において電解コンデンサの寿命が尽きた旨の判定がなされたときはステップＳ３４に移行し、「不点灯」の旨をリモートコントローラ１０に送信して直ちにフローを終了する。ここでＬＥＤの寿命が尽きた場合と比較すると、この場合は単に発光量不足となるだけであり、緊急性はないので当面の使用の便を優先し、既に説明したように一定の制限のもとで再点灯を許可していた。しかしながら、電解コンデンサの寿命が尽きた場合は、使用を続けることで発火等不測の事態を招く万一の可能性を考慮し、上記のようにＬＥＤの寿命が尽きた場合と差をつけて再点灯を可能にする手段を設けない。
【００３６】
なお、上記とも関連するが、ＬＥＤの寿命が尽きた場合においてステップＳ１２で前回操作後所定時間内の点灯信号であることが検知されなかったときは、ステップＳ３６に進み、連続操作をすれば所定回数まで点灯が可能である旨の案内表示の指示信号をリモートコントローラ１０に送信してステップＳ３４に移行する。これに対し、ステップＳ１４で所定回以上の連続操作による点灯であることが検知されたときは直ちにステップＳ３４に移行する。いずれにしても点灯操作に応じた点灯の実行は行われない。また、ステップＳ２４で即時消灯モードであったときは、ステップＳ３８に移行してＬＥＤの即時消灯を実行するとともに、ステップＳ４０で所定時間内に点灯操作すれば再点灯可能である旨の案内表示の指示信号をリモートコントローラ１０に送信してステップＳ３４に移行する。
【００３７】
図４は、図３のステップＳ４における寿命判定チェック処理の詳細を示すフローチャートである。フローがスタートすると、ステップＳ４２で電解コンデンサの寿命が尽きた旨の判定記憶の有無がチェックされる。この記憶がなければステップＳ４４に移行し、ＬＥＤの寿命が尽きた旨の判定記憶の有無がチェックされる。そしてこの記憶があることが確認されるとステップＳ４６に進み、この自らのＬＥＤ照明装置におけるＬＥＤ寿命尽判定記憶をまず活性化させた上でステップＳ４８に移行する。
【００３８】
次いで、ステップＳ４８ではリモートコントローラ１０経由で他のＬＥＤ照明装置の情報を取得し、ステップＳ５０にて他のＬＥＤ照明装置においてＬＥＤ寿命が尽きた旨の情報の有無をチェックする。そして該当する情報があればステップＳ５２で他のＬＥＤ照明装置においてＬＥＤ寿命が尽きた旨の情報のタイムスタンプが自らのＬＥＤ照明装置におけるＬＥＤ寿命が尽きた旨の情報のタイムスタンプよりも先行しているかどうかチェックする。この結果、他のＬＥＤ照明装置のタイムスタンプが先行していればステップＳ５４に進み、自らのＬＥＤ照明装置におけるＬＥＤ寿命尽判定記憶をまず不活性化してフローを終了する。
【００３９】
上記のように寿命判定チェックフローでは、同室内にある他のＬＥＤ照明装置との間の情報交換により、より先にＬＥＤの寿命の尽きたＬＥＤ照明装置があるかぎり、当面は消灯による寿命尽の報知をそのＬＥＤ照明装置に任せ、自らのＬＥＤ照明装置におけるＬＥＤ寿命尽判定記憶についてはこれを不活性化し、寿命は尽きていないものとして点灯を許可する。このようにして、同室内において複数のＬＥＤ照明装置がＬＥＤ寿命尽のために同時に消灯してしまうことを防止し、最もタイムスタンプの古いもののみを代表として消灯させることにより寿命が尽きたことを告知する。そして、より古いＬＥＤ照明装置が交換されて自らのＬＥＤ照明装置のタイムスタンプが最も古い状態となったとき、ＬＥＤの寿命が尽きた旨の判定記憶を活性化させ、消灯を実行する。
【００４０】
一方、ステップＳ４２において電解コンデンサの寿命が尽きた場合は、複数のＬＥＤ照明装置が同時に消灯する不便よりも安全性を優先し、自らのＬＥＤ照明装置において電解コンデンサの寿命が尽きている旨の記憶は常に活性化しておく。なお、ステップＳ４４においてＬＥＤの寿命が尽きている旨の記憶がない場合は直ちにフローを終了する。あた、ステップＳ５０において他のＬＥＤ照明装置におけるＬＥＤ寿命尽の情報がない場合、またはステップＳ５２でＬＥＤの寿命が尽きたタイムスタンプがより古い他のＬＥＤ照明装置がない場合は、ステップＳ４６における自らのＬＥＤ照明装置のＬＥＤ寿命尽記憶の活性化を維持してフローを終了する。
【００４１】
図５は、図３のステップＳ２６における調光処理の詳細を示すフローチャートである。フローがスタートすると、ステップＳ６２で、火災報知機８に対し、リモートコントローラ１０を介して照度信号の要求を行う。そしてステップＳ６４に進み、受光部３５によって測定された照度信号の応答が火災報知機８からリモートコントローラ１０を介して着信したかチェックする。応答が着信すればステップＳ６６に進んでＬＥＤ照明装置４が自動調光モードに設定されているかどうかチェックする。そして自動調光モードであればステップＳ６８に進み、火災報知機８で測定された室内照度が所定以上かどうかチェックする。この結果、室内照度が所定以上であればステップＳ７０に進み、現在のデューティー信号を記憶するとともにこれに代えてステップＳ７２で省エネデューティー信号を出力し、ステップＳ７４に移行する。なお、省エネデューティー信号は、通常、ステップＳ７０で記憶されるデューティー信号より小さいデューティーサイクルを指示するもので、室内が所定以上明るくて照明による補助の必要性が低い時、ＬＥＤ照明装置からの発光を自動的に抑えて省エネに寄与するものである。
【００４２】
一方、ステップＳ６８で室内照度が所定以上であることが検知されないときはステップＳ７６に進み、現在省エネデューティーサイクルが適用されているかどうかチェックする。そして省エネデューティーサイクルであればステップＳ７８に進み、省エネデューティーサイクルが適用される前に記憶されたデューティー信号を読み出して出力してステップＳ７４に移行する。一方、ステップＳ７６で省エネデューティーサイクルの適用が検知されないときは直接ステップＳ７４に移行する。このように、室内の明るさが所定以下であるときは、通常デューティーサイクルでの点灯を行うとともに省エネデューティーが適用されていたときは通常デューティーサイクルでの点灯に復帰する。なお、ステップＳ６６で自動調光モードであることが検知されない場合は、ステップＳ６４で応答のあった照度信号にかかわらず自動調光を行わず直接ステップＳ７４に移行する。
【００４３】
また、ステップＳ６４で照度信号の応答が検知されなかったときは、火災報知機８の受光部３５を機能させるための給電に問題があるものと考えられる。そして、受光部３５は温度・煙・炎センサなど火災報知機８本来の機能部分への給電と共通の電源部３０から給電されているので、受光部３５への給電に問題があれば火災報知機８本来の機能部分への給電にも問題があるものと考えられる。そこで、ステップＳ６４で照度信号の応答が検知されなかったときは、ステップＳ８０に移行し、「火災報知機電源異常」の旨をリモートコントローラ１０に送信してステップＳ７４に移行する。このように火災報知機８に設けられた受光部３５を調光のために使用することで、長期間動作しないことが望まれる性質にある火災報知機の動作を日常的にチェックし、いざというときに動作しないような事態を防止する。
【００４４】
ステップＳ７４では、リモートコントローラ１０の操作部４２の操作に基づいて発生される手動調光信号を受信したかどうかをチェックする。そして手動調光信号の受信があれば、ステップＳ８２に進み、手動設定に基づく新たなデューディーサイクル信号を出力してフローを終了する。以上のように調光処理ではＬＥＤ照明装置の明るさを自動または手動で変化させることができるが、自動調光モードで室内照度が所定以上明るいときは、省エネデューティーが優先する。また、自動調光モードの設定に係わらず照度信号による火災報知機８のチェックは常に行われる。
【００４５】
図６は、図３のステップＳ３２における諸操作処理の詳細を示すフローチャートである。フローがスタートすると、まずステップＳ９２において、リモートコントローラ１０から受信した操作信号が寿命判定機能のテストを指示する信号であるかどうかをチェックする。機能テスト信号であれば、まずステップＳ９４でＬＥＤ寿命判定部２６の機能をチェックする。このチェックは、例えば、基準クロックから可変分周部７６およびゲート７４へのパルスの通過テスト、可変分周部７６の分周率変更機能テスト、およびカウント値を一時退避させた上での不揮発カウンタ７２のカウント進行およびオーバフローテストなどを含む。
【００４６】
さらに、ステップＳ９６では、電解コンデンサ寿命判定部２８の機能をチェックする。このチェックは、例えば、比較器８２の比較機能チェック、カウンタ８４のカウント進行、リセットおよびオーバフローテストなどを含む。そしてこれらの機能チェック結果に基づき、ステップＳ９８では、すべての寿命判定部機能が正常だったかどうかの確認を行う。そして何らかの異常があればステップＳ１００に進み、電解コンデンサの寿命が尽きた擬似状態をセットしてステップＳ１０２に進む。一方、ステップＳ９８ですべての寿命判定部機能が正常であることが確認されたときは、何もせずに直接ステップＳ１０２に進む。
【００４７】
上記においてステップＳ１００でセットされた電解コンデンサ寿命尽の擬似状態は、これがステップＳ６でチェックされた場合、フローをステップＳ３４に移行させる機能を持つ。この場合は、寿命判定部機能が正常でないときは点灯操作を行ってもＬＥＤ照明装置が点灯しなくなる。また、電解コンデンサ寿命尽の擬似状態がステップＳ２０でチェックされた場合、即時消灯モードであればステップＳ２４経由でフローがステップＳ３８に移行させられる。この場合、寿命判定部機能が異常であることでテスト操作により点灯中のＬＥＤ照明装置が即時消灯することになる。いずれの場合も、このようなＬＥＤ照明装置の不点灯または消灯により、寿命判定部機能の異常が認識漏れのない形で報知される。
【００４８】
さらに、ステップＳ１０２では、ステップＳ９４およびステップＳ９６のそれぞれのチェックに基づくＬＥＤおよび電解コンデンサの寿命判定機能のテスト結果が具体的にリモートコントローラ１０に送信し、ステップＳ１０４に移行する。リモートコントローラ１０はこの情報を表示部５２に表示するので、テスト操作を行った者はその結果を具体的に知ることができる。なお、ステップＳ９２において、リモートコントローラ１０から受信した操作信号が寿命判定機能のテストを指示する信号であることが検知されないとき、フローは直接ステップＳ１０４に移行する。
【００４９】
ステップＳ１０４では、リモートコントローラ１０から受信した操作信号が擬似寿命尽リセット信号であるかどうかをチェックする。そして該当すればステップＳ１０６に進み、セットされている電解コンデンサ擬似寿命尽状態をリセットしてフローを終了する。一方、受信した操作信号が擬似寿命尽リセット信号でないときは直ちにフローを終了する。ステップＳ１００でセットされる電解コンデンサ擬似寿命尽状態は上記のようにＬＥＤ照明装置を不点灯とするか消灯させるので、その原因がわかり、とりあえずＬＥＤ照明装置を点灯させる場合にはこれをリセットすることにより点灯を可能とすることができる。ステップＳ１０４で検知されるリセット信号はこのような目的で手動操作によりリモートコントローラ１０から送信されて来るものである。
【００５０】
図７は、図１に示したリモコン制御部４４の機能を示すフローチャートである。フローは、ＬＥＤ照明装置４、６や火災報知機８を操作するための操作部４２の操作、または無線通信部４６によるＬＥＤ照明装置４、６や火災報知機８からの信号受信によりスタートする。フローがスタートすると、まずステップＳ１１２において点灯操作があったかどうかがチェックされる。そして点灯操作であればステップＳ１１４に進んで点灯信号をＬＥＤ照明装置４およびＬＥＤ照明装置６に送信してステップＳ１１６に移行する。一方、ステップＳで点灯操作が検知されない場合は直接ステップＳ１１６に移行する。
【００５１】
ステップＳ１１６では、ＬＥＤ照明装置４、６等のいずれかから「不点灯」の旨を示す信号が受信されたかどうかチェックする。そして受信があればステップＳ１１８に進み、受信されている寿命尽判定結果を表示部４２で表示する。次いで、ステップＳ１２０で「点灯操作案内」を行う旨の信号がＬＥＤ照明装置４、６等から受信されているかどうかをチェックする。そして、受信があればステップＳ１２２に進んで「所定時間内に連続操作すれば点灯が可能である」旨の表示を表示部５２に指示し、ステップＳ１２４に移行する。一方、ステップＳ１２０において「点灯操作案内」を行う旨の信号の受信が検知されないときは直接ステップＳ１２４に移行する。
【００５２】
ステップＳ１２４では、寿命判定機能テスト結果に基づいてセットされる擬似寿命尽状態によってＬＥＤ照明装置が不点灯または消灯状態になっているときにこれをリセットする操作が行われたかどうかチェックし、操作があればステップＳ１２６に進んで擬似寿命尽状態をリセットする信号を該当するＬＥＤ証明装置に送信してステップＳ１２８に移行する。一方、ステップＳ１２４でリセット操作が検知されないときは直接ステップＳ１２８に移行する。
【００５３】
また、上記ステップＳ１１６で「不点灯」の旨を示す信号の受信が検知されないときも、直接ステップＳ１２８に移行する。従って、この場合はステップＳ１２２における案内表示がなされることはなく、無用の表示による混乱が避けられる。また、ステップＳ１２４における擬似寿命尽リセット操作のチェックが行われることがないので、擬似寿命尽リセットの誤操作に応答して機能が混乱することもない。
【００５４】
ステップＳ１２８では、ＬＥＤ照明装置の寿命判定機能をテストする操作が行われたかどうかをチェックする。この操作が検知されないときはステップＳ１３０に進み、火災報知機をテストする操作が行われたかどうかチェックする。そして、ステップＳ１２８で寿命判定機能テスト操作が検知された場合であっても、ステップＳ１３０で火災報知機テスト操作が検知された場合であっても、いずれもステップＳ１３２に進み、ＬＥＤ照明装置４、６に寿命判定機能テスト信号を送信するとともに、火災報知機８に火災報知機テスト信号を送信する。さらに、ステップＳ１３４では、ＬＥＤ照明装置４、６および火災報知機８からそれぞれ機能テストの結果を受信するとともに表示部５２でこれらを並列表示する処理を行い、ステップＳ１３６に移行する。一方、ステップＳ１２８およびステップＳ１３０でいずれのテスト操作も検知されないときは直接ステップＳ１３６に移行する。
【００５５】
上記のように、図７のフローでは、いずれのテスト操作が行われた場合でもＬＥＤ照明装置の寿命判定機能のテストおよび火災報知機のテストを必ずペアで行い、その結果を並列表示する。ＬＥＤ照明装置寿命の到来および火災報知機による火災報知は、いずれも通常長期間生じないことが望ましいが、いざと言う時に機能する保証のためにはテストが欠かせない。上記の構成は、一方のテストを意識せずに他方のテストを行ったとしても両者をペアで実施して表示することで、両者の正常動作の確認機会を増やすとともに、一方のテストの実施が等閑視されないよう相互に注意喚起する意義がある。なお、ステップＳ１２８およびステップＳ１３０はそれぞれ手動による操作の検知機能であるが、これに加え、所定期間（例えば半年に一回）経過毎に自動的にステップＳ１３２を実行し、両テスト信号を送信するよう構成してもよい。この場合も、ステップＳ１３４による両テスト結果の並列表示により、両テストの必要性がペアで注意喚起される。なお、照明装置の電源部の異常は火災の原因となる可能性があり、火災報知機はその結果としての万一場合の報知に関するので、両者の連携は有意義なものである。
【００５６】
ステップＳ１３６では、「火災報知機電源異常」がＬＥＤ照明装置４、６から受信されているかどうかチェックする。そして受信があればステップＳ１３８に移行して「火災報知機電源異常」の旨を表示してステップＳ１４０に移行する。一方、ステップＳ１３６での信号受信検知がなければ直接ステップＳ１４０に移行する。ステップＳ１４０では、所定時間操作または信号受信がない状態が続いているかどうかチェックし、該当すればフローを終了する。一方、所定時間内に何らかの操作または信号受信があればステップＳ１１２に戻り、以下、所定時間操作または信号受信がない状態とならない限り、ステップＳ１１２からステップＳ１４０を繰り返す。
【００５７】
本発明の種々の特徴は、上記の実施例１における実施に限定されるものではなく、その利点を活用した他の実施が可能である。例えば、上記の実施例１では、ＬＥＤまたは電解コンデンサの寿命が尽きた旨を報知するのにＬＥＤを点灯させないかまたは点灯中のＬＥＤを消灯させる構成としているが、これに代えて、ＬＥＤまたは電解コンデンサの寿命が尽きた際には、ＬＥＤの点滅など通常点灯とは異なる異常点灯状態としてこれを報知するよう構成してもよい。また、ＬＥＤの寿命が尽きた場合と電解コンデンサ寿命が尽きた場合とで異常点灯状態の点滅周期を変えるなどし、両者を識別可能に報知するよう構成することも可能である。さらに、寿命検知機能に異常がある場合のＬＥＤの異常点灯態様をＬＥＤまたは電解コンデンサ寿命が尽きた場合の異常点灯態様とことならしめ、機能異常を識別可能に報知するよう構成することも可能である。
【００５８】
また、上記の実施例１におけるようなＬＥＤへのエネルギー供給状態の積算カウントによるＬＥＤ寿命の検知に代え、ＬＥＤの発光状態を実際にモニタする受光部を設けてＬＥＤへのエネルギー供給とＬＥＤからの発光との関係に基づいてＬＥＤ寿命を検知するよう構成した場合であっても、上記本発明のＬＥＤ寿命検知後における種々の特徴を適用することができる。さらに、電解コンデンサ寿命に関連する上記本発明の種々の特徴は、蛍光等照明装置などＬＥＤ照明装置以外の照明装置にも適用することが可能である。
【００５９】
さらに、上記実施例１では、図４のように他のＬＥＤ照明装置との間の情報交換により、同室内において複数のＬＥＤ照明装置がＬＥＤ寿命尽のために同時期に消灯してしまうことを防止しているが、ＬＥＤ寿命尽による同時期消灯防止はこのような手段に限るものではない。例えば、図２における不揮発カウンタ７２は、白色ＬＥＤ群の点灯時間が４万時間（同一入力で発光するときの明るさが新品時点の７０％に低下する時間）に達したと看做される時間に該当するパルス数をカウントしたときオーバーフローパルスを発生するよう設定される。ここで、不揮発カウンタ７２に付加カウント時間成分を設け、個々のＬＥＤ照明装置毎にこの付加カウント時間をプラスマイナス１００時間程度内でランダムにばらつくように設定して出荷するようにすれば、同室内の複数のＬＥＤ照明装置が仮に同一条件において同一時間点灯させられたとしても同一時期に寿命が尽きたと判断されることはなく、消灯の実行は上記の時間ばらつきをもって行われる。これによって、同室内において複数のＬＥＤ照明装置がＬＥＤ寿命尽のために同時期に消灯してしまうことが防止でき、最も早く消灯したＬＥＤ照明装置を交換するための充分な時間的余裕を持って次のＬＥＤ照明装置が消灯することになる。
【実施例２】
【００６０】
図８は、本発明の実施の形態に係るＬＥＤ照明システムの実施例２におけるＬＥＤ照明装置の詳細構成を示すブロック図である。システム全体については、基本的には実施例１と同様なので図１を流用する。また、図８において、実施例１の図２と同様の部分には同じ番号を付し、必要のない限り説明を省略する。
【００６１】
対応図８の実施例２が実施例１と異なる第一の点は、白色ＬＥＤ群が分割白色ＬＥＤ群１１４として構成され、これに伴ってスイッチ素子群１１６および定電流源群１６６が分割白色ＬＥＤ群のそれぞれの分割部分を独立して調光可能な点である。これにより、白色ＬＥＤ群１１４は、その一部を点灯させるとともに他の部分を消灯させたり、部分によって明るさにグラデーションをつけて点灯させたりすることが可能となる。これは、複数のＬＥＤ照明装置の分割白色ＬＥＤ群が継ぎ目なく一列に配置された時、点灯部分と消灯部分の境をＬＥＤ照明装置単位でなくＬＥＤ照明装置の途中を境とすることを可能とするとともに、一列に並べられた複数のＬＥＤ照明装置全体に滑らかなグラデーションをつけたりすることを可能とする。分割白色ＬＥＤ群１１４の分割部分を独立に点灯／消灯制御したり異なった明るさで点灯させたりするため、ＰＷＭ制御部６８は、照明制御部１２０の指示に基づきデューティー制御部７０から出力される複数のデューティーサイクル信号に基づいてスイッチ素子群１６４における対応するスイッチ素子をそれぞれ独立に制御する。これらについては、同一出願人による特許願２００９−１２７２０６および特許願２００９−１４７１６７に開示されている。分割白色ＬＥＤ群１１４における上記のような多様な点灯機能は、通常照明時において多様な照明態様を提供するとともに、ＬＥＤ照明装置４の寿命が尽きた際に特有の報知を行う際にも活用される。その詳細は後述する。
【００６２】
また、実施例２は、照明制御部１２０によって制御される常夜灯制御部１０２およびこれによって点灯消灯が制御される黄色ＬＥＤ１０４を有する。常夜灯制御部１０２は、リモートコントローラ１０の操作に応じ、就寝時等において消灯される分割白色ＬＥＤ群１１４に代わり黄色ＬＥＤを常夜灯として小電力で点灯させる。常夜灯制御部１０２および黄色ＬＥＤは通常使用時において上記のように常夜灯として利用されるとともに、ＬＥＤ照明装置４の寿命が尽きた際に特有の報知を行う際にも活用される。その詳細は後述する。なお、実施例２では、図８のようにトランスが省略されて全波整流器５８が電力線１２から直接給電されているが、トランスの有無は、実施例１と実施例２の違いに特に由来するものではない。
【００６３】
図９は、図１および図８に示した実施例２における照明制御部１２０の基本機能を示すフローチャートである。その内容の大半は図３の実施例１におけるフローと共通なので、対応するステップには同一ステップ番号を付し、説明は省略する。図９のフローが図３のフローと異なるのは、図９中に太字で示したステップであり、ＬＥＤ照明装置の寿命が尽きた場合等における報知の部分である。具体的には、図９においてステップＳ６で電解コンデンサの寿命が尽きた旨の判定がなされたとき、ステップＳ１４４に移行し、寿命が尽きた旨等の報知を行う処理を実行し、ステップＳ１４６「寿命が尽きた」の旨をリモートコントローラ１０に送信してフローを終了する。また、ステップＳ２０でＬＥＤの寿命が尽きた旨の判定信号が検知され、これを受けてステップＳ２４で即時消灯モードであったときには、ステップＳ１４２に移行し、点灯操作すれば再点灯可能である旨の案内表示の指示信号をリモートコントローラ１０に送信してステップＳ１４４に移行する。ステップＳ１４４の報知処理の詳細については後述する。
【００６４】
図１０は、図９に示した実施例２におけるステップＳ１４４の詳細を示すフローチャートである。フローがスタートすると、ステップＳ１５２で常夜灯１０４を寿命尽報知に利用する設定が行われているか否かチェックし、該当する設定が行われていればステップＳ１５４に進んで常夜灯の黄色ＬＥＤを点灯させるとともに、ステップＳ１５６に移行して第１設定がされているかどうかチェックする。そして第１設定であればステップＳ１５８に進み、分割白色ＬＥＤ群１１４を通常点灯させてステップＳ１６０に進む。このように、第１設定とは、分割白色ＬＥＤ群１１４の寿命が尽きたことの報知を分割白色ＬＥＤ群１１４の点灯状態自体には変化を加えずに黄色ＬＥＤ１０４を点灯させて行うものである。通常黄色ＬＥＤ１０４と分割白色ＬＥＤ群１１４が同時点灯することはないので、これが寿命尽の報知であることが認識される。一方、ステップＳ１５６で第１設定でなければ直接ステップＳ１６０に移行する。また、ステップＳ１５２で常夜灯設定でない場合も直接ステップＳ１６０に移行する。
【００６５】
上記のような第１設定を行うかどうかは、ＬＥＤ照明装置を出荷する際にその商品の仕様として予め設定しておくよう構成してもよいし、ユーザがＬＥＤ照明装置を設置する際に設定できるように構成してもよい。これは、後述の第２設定から第６設定においても同じである。なお、第１設定から第６設定は同時に設定することはできず、そのうちの一つを選択するよう設定する。これに対し、常夜灯報知設定とするかどうかは第２設定から第６設定のいずれかと組み合わせて任意に設定できる。なお、ステップＳ１５２からステップＳ１５８のフローから明らかなように、第１設定に基づく白色ＬＥＤ郡の通常点灯は、常夜灯報知がなされる場合との組合せのみ可能である。
【００６６】
ステップＳ１６０では、第２設定がされているかどうかチェックする。そして第２設定であればステップＳ１６２に進み、白色ＬＥＤ群の点灯を不能にするか点灯している場合はこれを消灯させてステップＳ１６４に移行する。一方、ステップＳ１６０で第２設定でなければ直接ステップＳ１６４に移行する。なお、上記のように第２設定は常夜灯報知設定がある場合とない場合のいずれとも組合せ可能であるが、常夜灯報知設定がなされない状態でステップＳ１６２に至った場合は、実施例１と同様の寿命尽報知となる。
【００６７】
ステップＳ１６４では、第３設定がされているかどうかチェックする。そして第３設定であればステップＳ１６６に進み、白色ＬＥＤ群の点灯デューティーサイクルを小さく（例えば通常の１／４）して減光点灯させ、ステップＳ１６８に移行する。一方、ステップＳ１６４で第３設定でなければ直接ステップＳ１６８に移行する。上記のように第３設定は常夜灯報知設定がある場合とない場合のいずれとも組合せ可能である。
【００６８】
ステップＳ１６８では、第４設定がされているかどうかチェックする。そして第４設定であればステップＳ１７０に進み、分割白色ＬＥＤ群１１４の一部を点灯させるとともに他の部分を消灯させる部分点灯制御を行ってステップＳ１７２に移行する。この場合の部分点灯は、通常点灯制御の場合の場合に典型的な片側点灯とは異なり、例えば分割部分を互い違いに点灯させるなど、寿命尽特有の部分点灯とする。一方、ステップＳ１６８で第２設定でなければ直接ステップＳ１７２に移行する。なお、上記のように第４設定も常夜灯報知設定がある場合とない場合のいずれとも組合せ可能である。
【００６９】
ステップＳ１７２では、第５設定がされているかどうかチェックする。そして第５設定であればステップＳ１７４に進み、分割白色ＬＥＤ群１１４の点滅点灯を指示する処理を行ってステップＳ１７６に移行する。一方、ステップＳ１７２で第５設定でなければ直接ステップＳ１７６に移行する。なお、上記のように第５設定も常夜灯報知設定がある場合とない場合のいずれとも組合せ可能である。
【００７０】
ステップＳ１７６では、第６設定がされているかどうかチェックする。そして第６設定であればステップＳ１７８に進み、分割白色ＬＥＤ群１１４の明るさがデューティー変化によりスムーズに脈動して変化するよう指示する処理を行ってフローを終了する。一方、ステップＳ１７６で第６設定でなければ直接フローを終了する。なお、上記のように第５設定も常夜灯報知設定がある場合とない場合のいずれとも組合せ可能である。
【００７１】
なお、上記実施例２の変形実施例として、図８の黄色ＬＥＤ１０４を赤色ＬＥＤに変え、常夜灯ではなく寿命が尽きた旨を表示するための専用表示部とし構成してもよい。この場合、常夜灯制御部１０２は、寿命尽報知制御部と読み替えるものとする。また、この場合図１０のステップＳ１５２およびステップＳ１５４の「常夜灯」は「赤色ＬＥＤ」と読み替えるものとする。また、ステップＳ１５２を省き、寿命尽報知専用の赤色ＬＥＤは第１設定から第６設定のいずれの場合も点灯するよう構成してもよい。
【実施例３】
【００７２】
図１１は、本発明の実施の形態に係るＬＥＤ照明システムの実施例３を示すブロック図である。なお、図１１の実施例３においては図１の実施例１と同様の部分に同じ番号を付し、必要のない限り説明を省略する。図１１の実施例３は、ＬＥＤ照明装置と火災報知機が一体化され、火災報知機一体型ＬＥＤ照明装置２０４として構成され、共通の無線通信部２２４を介して赤外光２４８によってリモートコントローラ１０と通信している。また、照明電源部２１６が図１の電源部１６と同様にして電力線１２から給電されているのに対し、火災報知機電源部２３０はボタン電池２０３によって給電されている。
【００７３】
図１１の実施例３では、さらに、ＬＥＤ寿命判定部や電解コンデンサ寿命判定部が省略され、これに代えて、ボタン電池２０３の電圧を検知する電池検知部２０５が設けられている。そしてボタン電池２０３と照明電源津２１６の電解コンデンサおよび白色ＬＥＤ群１４の寿命がほぼ１０年程度で共通するので、ボタン電池２０３の電圧をチェックし、これが所定以下に低下していることを検知することにより火災報知機一体型ＬＥＤ照明装置２０４全体の寿命が尽きたものと判断するよう構成している。そして白色ＬＥＤ郡１４の点灯操作や調光操作に連動して電池検知部２０５を起動させることによって、火災報知機一体型ＬＥＤ照明装置２０４の寿命検知とともに火災報知機機能の日常的なチェックを行い、いざというときに動作しないような事態を防止するよう構成している。報知器製著部２３２は照明制御部２２０の制御下において上記の機能のため連携している。
【００７４】
図１２は、図１１に示した照明制御部２２０の機能を示すフローチャートである。フローは、実施例１と同様にしてリモートコントローラ１０からの点灯信号が受信されることによりスタートする。フローがスタートするとステップＳ１８２で報知器制御部２３２を介して電池検知部２０５によりボタン電池２０３の電源電圧がチェックされる。そしてステップＳ１８４でボタン電池の寿命が尽きているかどうかが判断され、寿命が尽きていればステップＳ１８６で火災報知機の電源電池が尽きた旨の信号がリモートコントローラ１０に送信される。
【００７５】
次いで、ステップＳ１８８において図１２のフローをスタートさせた点灯信号がボタン電池の寿命が尽きることによりＬＥＤが消灯されてから所定時間（例えば３０秒）内の操作による点灯信号かどうかチェックする。これは、後述する即時消灯モードにおいて点灯中のＬＥＤがボタン電池の寿命が尽きたことにより突然消灯した場合、所定時間内であれば点灯操作を行うことにより再点灯させるためのものである。
【００７６】
ステップＳ１８８に該当する操作でない場合、ステップＳ１９０に進み、図１２のフローをスタートさせた点灯信号が、前回操作後所定時間（例えば１秒）内に受信されたものかどうかチェックする。これは、ボタン電池の寿命が尽きている旨の判定がなされ、通常の点灯操作ではＬＥＤ照明装置が点灯しない場合であっても、１秒以内の間隔で連続操作するという特殊な操作を行うことによって点灯を可能とするためのものである。ステップＳ１９０に該当する操作であればステップＳ１９２に進み、ボタン電池の寿命が尽きている旨の判定がなされた後、所定回（例えば５回）以内の操作かどうかチェックする。これは、使用の便のため、ボタン電池の寿命が尽きても連続操作という特殊な操作による点灯を許すものの、その回数に一定の制限を設け、ボタン電池の寿命が尽きたことによりＬＥＤの寿命も尽きていると看做されるにもかかわらず延々と点灯操作が続けられるのを防止するためのものである。
【００７７】
ステップＳ１９２で操作が所定回以内のときはステップＳ１９４に進み、操作信号の受信回数を一回分インクリメントするとともにステップＳ１９６に進んでＬＥＤの点灯を実行する。一方、ステップＳ１８４でボタン電池の寿命が尽きた旨の判定がなされていなかったときは直接ステップＳ１９６に進み、直ちにＬＥＤの点灯を実行する。また、ステップＳ１８８で、ＬＥＤがボタン電池の寿命により消灯されてから所定時間以内の点灯信号であることが確認された場合も直接ステップＳ１９６に進んでＬＥＤの点灯を実行する。
【００７８】
ステップＳ１９６でＬＥＤの点灯が実行されるとステップＳ１９８に進み、リモートコントローラ１０から手動の調光信号を受信したかどうかチェックする。そして受信があればステップＳ２００に進み、ボタン電池２０３の電源電圧がチェックされる。そしてステップＳ２０２でボタン電池の寿命が尽きているかどうかが判断され、寿命が尽きていればステップＳ２０４で火災報知機の電源電池が尽きた旨の信号がリモートコントローラ１０に送信される。このようにして、点灯操作時に加え、調光操作時においてもボタン電池のチェックが行われる。さらに、ステップＳ２０６では、ボタン電池の寿命が尽きた旨の判定信号が発生すると即時にＬＥＤの消灯を行うモードに設定されているかどうかのチェックを行う。即時消灯モードでなければ消灯を実行せず、ステップＳ２０８に進む。一方、ステップＳ２０２でボタン電池の寿命が尽きた旨の信号の発生がないときは直接ステップＳ２０８に移行する。
【００７９】
ステップＳ２０８では、ステップＳ１９８で検知された手動調光信号に基づく新たなデューディーサイクル信号を出力してステップＳ２１０に移行する。一方、ステップＳ１９８で手動調光信号が検知されなかった時は直接ステップＳ２１０に移行する。ステップＳ２１０では、リモートコントローラ１０から消灯信号を受信したかどうかチェックする。消灯信号の受信がなければステップＳ１９８に戻り、以下、消灯信号が受信されず、かつ即時消灯モードにおいてボタン電池の寿命が尽きた旨の信号が発生されない限りステップＳ１９８から２１０を繰り返し、調光制御またはボタン電池の寿命状態の変化に対応する。これに対し、ステップＳ２１０で消灯信号の受信が確認されたときはフローを終了する。
【００８０】
なお、ボタン電池の寿命が尽きた場合においてステップＳ１９０で前回操作後所定時間内の点灯信号であることが検知されなかったときは、ステップＳ２１２に進み、連続操作をすれば所定回数まで点灯が可能である旨の案内表示の指示信号をリモートコントローラ１０に送信してステップＳ２１４に移行する。これに対し、ステップＳ１９２で所定回以上の連続操作による点灯であることが検知されたときは直ちにステップＳ２１４に移行する。いずれにしても点灯操作に応じた点灯の実行は行われず、ステップＳ２１４において「不点灯」の旨をリモートコントローラ１０に送信してフローを終了する。また、ステップＳ２０６で即時消灯モードであったときは、ステップＳ２１６に移行してＬＥＤの即時消灯を実行するとともに、ステップＳ２１８で所定時間内に点灯操作すれば再点灯可能である旨の案内表示の指示信号をリモートコントローラ１０に送信し、フローを終了する。
【００８１】
なお、上記実施例３の変形実施例として、火災報知機一体型ＬＥＤ照明装置２０４全体の寿命を判断する際に報知器電源部２３０のボタン電池２０３を流用せず、寿命判定専用のボタン電池をさらに追加し、ボタン電池２０３の電圧チェックとともにこの寿命判定専用ボタン電池の電圧をチェックすることで火災報知機一体型ＬＥＤ照明装置２０４全体の寿命を判断するよう構成することも可能である。また、このように寿命判定専用ボタン電池を追加する場合は、白色ＬＥＤ群１４の点灯電流に対応する電流を寿命判定用ボタン電池に流すことにより白色ＬＥＤ群１４の劣化に対応する寿命判定専用ボタン電池の消耗が生じるよう構成してもよい。
【００８２】
さらに、図１１においてＬＥＤ照明装置６についてもＬＥＤ寿命判定部および電解コンデンサ寿命判定部を省略して寿命判定専用ボタン電池の消耗によりＬＥＤ照明装置６の寿命を判定するよう構成してもよい。この場合、同室内の複数のＬＥＤ照明装置が仮に同一条件において同一時間点灯させられたとしても、ボタン電池の寿命のばらつきにより、同室内において複数のＬＥＤ照明装置がＬＥＤ寿命尽のために同時期に消灯してしまうことが防止でき、最も早く消灯したＬＥＤ照明装置を交換するための充分な時間的余裕を持って次のＬＥＤ照明装置が消灯することになる。
【産業上の利用可能性】
【００８３】
本発明は、例えばＬＥＤ照明装置や電解コンデンサを有する照明装置に適用することができる。
【符号の説明】
【００８４】
１４、１１４  ＬＥＤ発光部
１６  電源部
２６  ＬＥＤ寿命判定部
２０、１２０  報知制御部
２８  電源部寿命判定部
２４、２０、１２０  復帰制御部
２０、１２０  記憶部
【図１】
2011249120.tif 000003
【図２】
2011249120.tif 000004
【図３】
2011249120.tif 000005
【図４】
2011249120.tif 000006
【図５】
2011249120.tif 000007
【図６】
2011249120.tif 000008
【図７】
2011249120.tif 000009
【図８】
2011249120.tif 000010
【図９】
2011249120.tif 000011
【図１０】
2011249120.tif 000012
【図１１】
2011249120.tif 000013
【図１２】
2011249120.tif 000014